(57)【特許請求の範囲】
【請求項１】
被取り付け部に形成する開口部と、この開口部に装着して該被取り付け部の表面側に取り付ける表示レンズと、前記被取り付け部の裏面側に位置して前記表示レンズを透過照明する照明ユニットと、この照明ユニットを前記被取り付け部に固定するブラケットとを具備し、前記照明ユニットに前記ブラケットを連結する固定具を設けるとともに、前記表示レンズの裏面側に前記固定具と連結する取付部を設け、この取付部と前記ブラケットを前記固定具にスライド自在に組み付けて前記表示レンズとブラケットとの間に前記被取り付け部を挟着保持したことを特徴とする照明ユニットの取付構造。
【請求項２】
前記照明ユニットは、ベース体と、このベース体に取り付けられる配線基板と、この配線基板に搭載された発光素子と、この発光素子を覆って前記ベース体に取り付けられる透光性カバーとで構成され、前記配線基板を前記ベース体に一体に形成した基板保持部により保持してベース体に取り付けたことを特徴とする請求項１記載の照明ユニットの取付構造。
【請求項３】
前記ブラケットを弾性的に変位可能とし、このブラケットを前記被取り付け部の裏面側に弾発的に押圧させたことを特徴とする請求項１又は２記載の照明ユニットの取付構造。
【請求項４】
前記ブラケットに長孔を形成するとともに、前記取付部の下端縁に下方を開口した切欠溝部を形成し、この長孔と切欠溝部に前記固定具を遊動させて前記照明ユニットに前記ブラケットと前記表示レンズをそれぞれスライド自在に組み付け、かつ、固定具を中心としてブラケットと表示レンズとを相互に回動自在に組み込んだことを特徴とする請求項１〜３のいずれか１項に記載の照明ユニットの取付構造。
【発明の詳細な説明】
【０００１】
【発明の属する技術分野】
本発明は、自動車に利用される照明ユニットの取付構造に関する。
【０００２】
【発明が解決しようとする課題】
自動車の車内や車外の比較的小範囲の照明に用いられる照明ユニットは、発光ダイオード（以下、ＬＥＤという）や電球などの発光素子を搭載した配線基板を合成樹脂などからなるベース体に取り付け、このベース体をボルトやナットなどの固定具によりロアカバーなどの被取り付け部に取り付けるようにしている。
【０００３】
そして、従来のこの種の照明ユニットでは、被取り付け部にビスなどの別体の固定具を用いて取り付けていたが、そのため、部品点数および組立工数が多くなるとともに、品質維持が難しい問題があった。すなわち、被取り付け部に形成した開口部に表示レンズを装着し、この表示レンズを照明ユニットによって裏面側から透過照明しようとすると、表示レンズと照明ユニットとをそれぞれ個別の固定手段を用いて取り付けていた。また、表示レンズの照明輝度は、表示レンズと照明ユニットとの距離、表示レンズの厚さあるいは表示レンズの色調などで決まることから、例えば車種が変わる毎に、新たに専用の照明ユニットが必要になる。このため、車種毎に照明ユニットを含め、これを固定するための専用のブラケットを製作することになるから、表示レンズや照明ユニットを他の機種に転用することができず、汎用性に乏しいものであった。
【０００４】
また、照明個所が複数存在する場合には、その照明位置に応じた照明ユニットが必要があった。このために、部品点数および組立工数が多くなる問題があった。
【０００５】
本発明は、このような問題点を解決しようとするもので、構造および組立が容易で汎用性が高い照明ユニットの取付構造を提供することを目的とする。より具体的には、照明ユニットを様々な場所に様々な形態で取り付けられるようにすることや、共通の照明ユニットにより複数個所の照明を可能とすることを目的とする。
【０００６】
【課題を解決するための手段】
請求項１の発明の照明ユニットの取付構造は、前記目的を達成するために、被取り付け部に形成する開口部と、この開口部に装着して該被取り付け部の表面側に取り付ける表示レンズと、前記被取り付け部の裏面側に位置して前記表示レンズを透過照明する照明ユニットと、この照明ユニットを前記被取り付け部に固定するブラケットとを具備し、前記照明ユニットに前記ブラケットを連結する固定具を設けるとともに、前記表示レンズの裏面側に前記固定具と連結する取付部を設け、この取付部と前記ブラケットを前記固定具にスライド自在に組み付けて前記表示レンズとブラケットとの間に前記被取り付け部を挟着保持したものである。
【０００７】
したがって、被取り付け部に照明ユニット及び表示レンズを取り付けるためにねじなどの別部品は不要であり、被取り付け部への照明ユニット及び表示レンズの取り付けが容易になる。また、表示レンズとブラケットは照明ユニットの固定具に対してスライドするので被取り付け部の厚みが異なる場合であっても表示レンズとブラケットとの間に被取り付け部を確実に挟着することが可能であり、厚みが異なる被取り付け部に表示レンズと照明ユニットを容易に固定することが可能である。また、照明ユニットは、これを固定するブラケットに対してスライドするから照明ユニットと表示レンズとの距離を調整することで表示レンズの照明輝度を調整することができる。
【０００８】
請求項２の発明は、請求項１の発明の照明ユニットの取付構造において、前記照明ユニットは、ベース体と、このベース体に取り付けられる配線基板と、この配線基板に搭載された発光素子と、この発光素子を覆って前記ベース体に取り付けられる透光性カバーとで構成され、前記配線基板を前記ベース体に一体に形成した基板保持部により保持してベース体に取り付けたものである。そして、ベース体に配線基板を取り付けるにあたっては、配線基板を取り付けるためにねじなどの別部品は不要であり、ベース体への配線基板の取り付けが容易になる。また、透光性カバーを透過した発光素子の照射光によって表示レンズが透過照明される。
【０００９】
請求項３の発明は、請求項１又は２の発明の照明ユニットの取付構造において、前記ブラケットを弾性的に変位可能とし、このブラケットを前記被取り付け部の裏面側に弾発的に押圧させたものである。これにより、表示レンズとブラケットとの間に被取り付け部を挟着保持する際、ブラケットを被取り付け部の裏面に強固に押し付けることができ、照明ユニットと表示レンズの取付強度が向上する。
【００１０】
請求項４の発明は、請求項１〜３のいずれか１項に記載の照明ユニットの取付構造において、前記ブラケットに長孔を形成するとともに、前記取付部の下端縁に下方を開口した切欠溝部を形成し、この長孔と切欠溝部に前記固定具を遊動させて前記照明ユニットに前記ブラケットと前記表示レンズをそれぞれスライド自在に組み付け、かつ、固定具を中心としてブラケットと表示レンズとを相互に回動自在に組み込んだものである。これにより、照明ユニットは、ブラケットへの取り付けに際し、固定具の回りで回転させることが可能であるから、照明ユニットの取付角度の調整によっても、表示レンズの照明輝度を調整することができる。これとともに、照明ユニットと表示レンズの取付角度を変えることによって、透光性カバーを透過した照射光によって表示レンズを透過照明すると同時に、照明ユニットが指向する方向をも照明することができるから、共通した照明ユニットにより同時に複数の照明を行うことができる。
【００１１】
【発明の実施形態】
以下、本発明の照明ユニットの取付構造の実施形態について、図面を参照しながら説明する。この照明ユニット１は、基本的に図１から図５に示すように、ベース体２と、このベース体２に取り付けられ発光素子であるＬＥＤ３を搭載した配線基板４と、ＬＥＤ３を覆ってベース体２に取り付けられる透光性カバー５とからなっている。
【００１２】
前記ベース体２は、合成樹脂の一体成形品であり、ほぼ細長い箱状になっている。つまり、ベース体２は、底板部11とこの底面部11の周辺部からほぼ垂直に立ち上がる一対の長側面部12および一対の短側面部13とを有しているとともに、底板部11と反対側の上部に開口部14を有している。
【００１３】
図９に示すように、前記両長側面部12の上端縁には、それぞれ切欠き部16が中央部に形成されているとともに、この切欠き部16を挟んで両端部に突起状基板保持部17，18が一体に突出形成されている。特に、ベース体２の一端側の突起状基板保持部17は、厚さが側面部12，13と同じになっており、比較的容易に弾性的に変位可能になっている。一方、ベース体２の他端側の突起状基板保持部18は、長側面部12から内方へ若干突出している。そして、突起状基板保持部17，18の先端部で相互に対向する内面には係合爪19，20がそれぞれ一体に突出形成されている。ベース体２の一端側の突起状基板保持部17の係合爪19は、突出量が比較的小さくなっているとともにほぼ三角形状になっており、ベース体２の他端側の突起状基板保持部18の係合爪20は、突出量が比較的大きくなっている。なお、ベース体２の底面部11には、この底面部11と直交する方向における前記係合爪19，20の投影形状を包含する通孔21あるいは切欠き部22が形成されている。さらに、突起状基板保持部17，18の外面には、ほぼ三角形状のカバー保持爪23がそれぞれ突出形成されている。
【００１４】
また、前記ベース体２の底面部11には、図１１に示すように、突起状基板保持部18側の端部にほぼ矩形状のボルト通孔26が形成されている。このボルト通孔26は、底面部11の長手方向中央部側が幅広部26aになっており、反対側がより幅の狭い幅狭部26bになっている。なお、前記切欠き部22は、幅狭部26bに臨んでいる。また、両長側面部12間には、前記幅広部26aに対向する上遮蔽壁27と、この上遮蔽壁27の一側縁から底面部11まで垂下する側遮蔽壁28とが一体に形成されている。この遮蔽壁27，28は、ボルト通孔26をベース体２の内部から遮蔽するものである。さらに、前記幅広部26aに連続するとともに底面部11から遮蔽壁27，28を貫通してハーネス通孔29が形成されている。
【００１５】
また、前記両短側面部13の上部には、ほぼ半円形状のボルト通孔31がそれぞれ形成されている。また、ベース体２内における突起状基板保持部17側の端部には、前記ボルト通孔31と同軸的に位置する半円形状の切欠き部32を有する押え壁33が底面部11および両短側面部13に沿わせて一体に形成されている。これにより、一方の短側面部13と押え壁33との間および他方の短側面部13と突起状基板保持部18との間に固定具組み込み部34がそれぞれ形成されている。
【００１６】
さらに、前記ベース体２の底面部11の内面には、図９に示すように、電線保持部としての一対のハーネス保持突起37，38が垂直に一体に形成されている。
【００１７】
前記ベース体２を射出成形などの手段により成形するときには、底面部11と直交する方向に開閉する固定型および可動型を備えた金型が利用されるが、型抜きに際してアンダーカット形状になるおそれのある係合爪19，20などに対しては、底面部11の対応する位置に通孔21、切欠き部22を形成するなどして、アンダーカット形状にならないようにしている。ボルト通孔26や遮蔽壁27，28やハーネス通孔29も同様である。すなわち、ベース体２は、固定型および可動型のパーティングラインを適当に設定すれば、スライドコアなどを用いることなく、固定型および可動型のみで成形が可能な形状になっている。
【００１８】
図５などに示すように、前記配線基板４はほぼ矩形状で、前記ベース体２の両長側面部12の先端縁上にちょうど被さる程度の幅になっている。また、配線基板４の四隅部には、前記ベース体２の突起状基板保持部17，18にそれぞれ嵌合する固定用切欠き部41，42が形成されている。ベース体２の両端部の突起状基板保持部17，18は幅が相互に異なっているので、配線基板４の両端部の固定用切欠き部41，42も幅が相互に異なっている。したがって、配線基板４は、ベース体２に所定の向きでしか取り付けられないようになっている。さらに、配線基板４の両側中央部には、ハーネス通し用切欠き部43がそれぞれ形成されている。
【００１９】
51は電線51a，51bを有するハーネスであって、電線51a，51bは上側から配線基板４に接続されている。また、52は抵抗、53は逆接防止用のダイオードであり、これらの電線51a，51b、抵抗52およびダイオード53は、前記一対のＬＥＤ３とともに、全て配線基板４にその下側（裏側）で半田付けされており、これにより、コストダウンできる。特に、電線51a，51bを下側で半田付けすることは、これら電線51a，51bをハーネス通し用切欠き部43に通すことにより可能になったものである。なお、図６において、54はハーネス51の先端部に接続されたカプラーである。
【００２０】
図８は、前記配線基板４の回路図を示している。電気的には、正極55と負極56との間に前記一対のダイオード３、抵抗52およびダイオード53が直列に接続される。なお、本実施例では、１つの配線基板４に２つのＬＥＤ３を搭載するようにしているが、ＬＥＤ３の搭載数は適宜設定できる。
【００２１】
前記透光性カバー５は、合成樹脂の一体成形品からなり、乳白色などで透光性を有している。そして、透光性カバー５は、一面を開口したほぼ箱状になっており、この透光性カバー５の開口部側は、前記ベース体２の長側面部12の外側に嵌合する嵌合部61になっている。また、この嵌合部61の両端面部には、ベース体２の両短側面部13が内側に嵌合する凹部62がそれぞれ形成されている。さらに、これら凹部62には、ほぼ半円形状のボルト通孔63がそれぞれ形成されている。また、嵌合部61の両側面部には、前記ベース体２のカバー保持爪23がそれぞれ係合される係合孔部64が形成されている。また、透光性カバー５内の端部の側面には押えリブ65がそれぞれ形成されている。
【００２２】
図９などに示すように、照明ユニット１には、固定具であるボルト71が組み付けられる。このボルト71は、頭部71aが四角形状になった四角ボルトである。ベース体２の側面部にボルト71を組み込むには、このボルト71の頭部71aを一方の短側面部13と押え壁33との間の固定具組み込み部34あるいは他方の側面部13と突起状基板保持部18との間の固定具組み込み部34に真っ直ぐ挿入する。ボルト71は、その頭部71aが短側面部13と押え壁33あるいは突起状基板保持部18との間に挟まれることにより仮保持され、ベース体２の長手方向に沿ってねじ部71bがボルト通孔31から外方へ突出する。なお、ボルト71に代えて四角形状のナット72を短側面部13と押え壁33あるいは突起状基板保持部18との間に同様にして挿入して組み付けることもできる。この場合、図１０に示すように、ベース体２に組み込んだナット72に固定具としてビス79を螺着することになる。
【００２３】
透光性カバー５は、その嵌合部61をベース体２に嵌合することにより、このベース体２に取り付ける。このとき、透光性カバー５自体が弾性変形することにより、透光性カバー５がベース体２のカバー保持爪23を乗り越え、最終的にこれらカバー保持爪23が透光性カバー５の係合孔部64にそれぞれ係合する。これにより、透光性カバー５がベース体２に固定されるとともに、透光性カバー５のボルト通孔63がボルト71のねじ部71bに被さる。また、図７に示すように、透光性カバー５の押えリブ65がボルト71の頭部71aを上から押え、これにより、ボルト71が照明ユニット１に確実に固定された状態になる。
【００２４】
73は前記照明ユニット１によって透過照明される表示レンズであり、前記透光性カバー５と同様、合成樹脂の一体成形品からなり、乳白色などで透光性を有している。そして、表示レンズ73は、図１〜図３に示すように、全体に楕円状になっており、この表示レンズ73の表面中央部に、表示レンズ73に外形に倣うように凸弧状の隆起部73ａが形成されている。また、表示レンズ73の裏面側には、取付部としての左右一対の取付腕片74が一体的に垂設されている。この取付腕片74の間隔は、前記ベース体２の横幅とほぼ同幅であり、表示レンズ73をベース体２の上側から被せると前記ベース体２の両短側面部13の外側に表示レンズ73の取付腕片74が沿うようになっている。また、取付腕片74の下端縁には、下方を開口した切欠溝部75が形成され、前記ベース体２の両短側面部13に表示レンズ73の取付腕片74を沿わせる際、切欠溝部75内に前記ベース体２に組み込んだボルト71が挿入される。この切欠溝部75は、前記ボルト71が遊動するよう、ボルト71が入る程度の径となっているとともに、取付腕片74に沿って長く形成されている。
【００２５】
76は、本照明ユニット１を被取り付け部に取り付けるときに用いられるブラケットの一例である。ブラケット76は、使用目的などに応じて適宜の形状のものを用いることができるが、基本的には、図１４などに示すように、ステンレスなどの可撓性を有する金属製薄板からなり、表示レンズ73の両取付腕片74の外面に沿う一対の側板部77と、これら側板部77を連結する連結部78とを有するコ字型に形成されている。このブラケット76の各側板部77にはボルト71が挿通される長孔80がそれぞれ形成されている。これら長孔80は、前記表示レンズ73の切欠溝部75と同様、前記ベース体２に組み込まれるボルト71が遊動するよう、ボルト71が入る程度の径となっているとともに、各側板部77に沿って長く形成されている。また、ブラケット76の各側板部77は中間部から先端部に向かって僅かに外側に傾斜するようくの字状に屈曲しているとともに、各側板部77の先端部をカール状に湾曲させて円弧状折り曲げ部77ａを形成している。
【００２６】
つぎに、前記照明ユニット１の組立について説明する。まず、ベース体２への配線基板４の取り付けについて説明する。この配線基板４には、ＬＥＤ３、抵抗52、ダイオード53およびハーネス51を予め接続しておく。そして、図１１に矢印Ａで示すように、まず配線基板４の一端部をベース体２の一対の突起状基板保持部18間で係合爪20の下側に差し込む。ついで、図１１に矢印Ｂで示すように、配線基板４の他端側をベース体２に押し付けて一対の突起状基板保持部17間に入れる。それに伴い、配線基板４により押されて両突起状基板保持部17が相互に離反する方向へ弾性的に変位し、配線基板４が係合爪19を乗り越える。最終的には、配線基板４がベース体２の両長側面部12の上縁上に載り、各突起状基板保持部17，18の係合爪19，20が配線基板４に上側から係合することにより、ベース体２に対する配線基板４の上下方向の移動が規制される。また、配線基板４の四隅部の固定用切欠き部41，42に突起状基板保持部17，18がそれぞれ係合することにより、ベース体２に対する配線基板４の前後左右方向の移動が規制される。これにより、ベース体２に配線基板４が確実に固定される。しかも、配線基板４の取り付けのためにビスなどの別部品は不要である。
【００２７】
次ぎにボルト71の組み付け手順について説明する。図９に示すように、ベース体２の側面部にボルト71を組み込むには、このボルト71の頭部71aを一方の短側面部13と押え壁33との間の固定具組み込み部34あるいは他方の側面部13と突起状基板保持部18との間の固定具組み込み部34に真っ直ぐ挿入する。ボルト71は、その頭部71aが短側面部13と押え壁33あるいは突起状基板保持部18との間に挟まれることにより仮保持され、ベース体２の長手方向に沿ってねじ部71bがボルト通孔31から外方へ突出する。
【００２８】
なお、ベース体２に四角形状のナット72を組み込んで、このナット72にボルト71を螺着することもできる。この場合には、図１０に示すように、四角形状のナット72を短側面部13と押え壁33あるいは突起状基板保持部18との間に同様にして挿入して組み付け、この後、ベース体２に組み込んだナット72にビス79に螺着する。
【００２９】
また、透光性カバー５は、その嵌合部61をベース体２に嵌合することにより、このベース体２に取り付ける。このとき、透光性カバー５自体が弾性変形することにより、透光性カバー５がベース体２のカバー保持爪23を乗り越え、最終的にこれらカバー保持爪23が透光性カバー５の係合孔部64にそれぞれ係合する。これにより、透光性カバー５がベース体２に固定され、図７に示すように、透光性カバー５のボルト通孔63がボルト71のねじ部71bに被さる。これとともに、透光性カバー５の押えリブ65がボルト71の頭部71aまたはナット72を上から押え、これにより、ボルト71またはナット72が照明ユニット１に確実に固定された状態になる。
【００３０】
また、図１８に示すように、照明ユニット１には前記ブラケット76をそれぞれ組み付けておく。このブラケット76の組み付けにあたって、照明ユニット１の下面側からブラケット76の長孔80をベース体２に組み込んだボルト71に挿入する。このとき、ブラケット76の両側板部77を外側に撓ませることにより、両側板部77に形成する長孔80にボルト71を簡単に挿入することができる。このようにしてブラケット76の長孔80にボルト71を挿入した後、ボルト71のねじ部71bに袋状のナット72ａを螺着する。このときは、ボルト71に螺着するナット72ａは仮止め状態とする。なお、ベース体２に四角形状のナット72を組み込む場合、ブラケット76の長孔80とナット72とを位置合わせした後、ブラケット76の外側から長孔80にビス79を貫通させ、そのビス79をベース体２に組み込んだナット72に螺着すればよい。
【００３１】
このように、ベース体２にブラケット76を組み付け、さらに、ベース体２に組み込んだボルト71に表示レンズ73の取付腕片74を連結することによって、ブラケット76と表示レンズ73との間に取り付け部を挟んで表示レンズ73と照明ユニット１を固定する。ここで、本照明ユニット１は、様々な取付形態が可能である。以下、それについて説明する。
【００３２】
図１２から図１７は、自動車の室内において、インストルメントパネル91の下方のロアカバー92に照明ユニット１を取り付けて使用する例を示している。この照明ユニット１は、表示レンズ73の透過照明として用いられるものであり、図１３に示すように、被取り付け部となるロアカバー92には表示レンズ73を装着する開口部93が形成されている。この開口部93は、表示レンズ73の取付腕片74が挿通し得る幅を有して表示レンズ73によって隠れる形状に形成されている。そして、ロアカバー92の前方から開口部93に表示レンズ73の取付腕片74を挿入し、この取付腕片74の間に透光性カバー５を挿入する。これにより、透光性カバー５とブラケット76の両側板部77との間に表示レンズ73の取付腕片74が挿入される。このとき、ブラケット76の両側板部77が外側に傾斜したくの字状に屈曲していることから、両側板部77の傾斜部分に取付腕片74の下端部分が当接して透光性カバー５と両側板部77との間に表示レンズ73の取付腕片74が容易に誘い込まれるから、表示レンズ73と照明ユニット１との位置合わせを容易に行うことができる。このようにして、透光性カバー５とブラケット76の両側板部77との間に表示レンズ73の取付腕片74を誘い込むことによって、図１４に示すように、取付腕片74の下端に形成する切欠溝部75内にベース体２から突出するボルト71が挿入される。これとともに、ブラケット76の先端に形成する円弧状折り曲げ部77ａがロアカバー92の内面に当接する。この状態でさらにブラケット76をロアカバー92側へ移動させることによって、ブラケット76が外側に反るように撓んで両側板部77の先端に形成する円弧状折り曲げ部77ａがロアカバー92の内面に強く押し付けられる。このように、ブラケット76の円弧状折り曲げ部77ａでロアカバー92に押圧した状態で、ボルト71に螺着したナット72ａを締め付ける。なお、ベース体２に四角形状のナット72を組み込む場合、単にナット72に螺着するビス79をねじ込めばよい。このように、ナット72ａまたはビス79を締め付けることにより、ブラケット76の円弧状折り曲げ部77ａと表示レンズ73とでロアカバー92を挟み付ける。これとともに、ブラケット76の両側板部77と照明ユニット１との間に表示レンズ73の取付腕片74が挟着され、照明ユニット１と表示レンズ73がロアカバー92に固定される。そして、照明ユニット１に組み込まれるＬＥＤ３の点灯により、透光性カバー５を透過したＬＥＤ３の照射光によって表示レンズ73が透過照明される。
【００３３】
すなわち、照明ユニット１は、ロアカバー92への取り付けに際し、照明ユニット１に組み付けたボルト71がブラケット76の長孔80に遊動自在に貫通しているので、図１４に示すように、ブラケット76の長孔80に沿って移動可能であり、また、ロアカバー92の開口部93に装着する表示レンズ73についても、取付腕片74に形成する切欠溝部75がボルト71に遊動自在に貫通した状態で表示レンズ73の取付腕片74が照明ユニット１とブラケット76とで挟着保持されているから、照明ユニット１とブラケット76とはロアカバー92に対して上下方向に移動可能に組み付けられることになる。このため、図１４に示すように、厚さｔ,ｔ１が異なるロアカバー92に照明ユニット１と表示レンズ73とを組み付ける場合であっても、表示レンズ73とブラケット76との間に確実にロアカバー92を挟み付けることが可能となる。すなわち、被取り付け部であるロアカバー92の厚みが異なる場合であっても、表示レンズ73及び照明ユニット１を確実に取り付けることが可能である。また、照明ユニット１は、ベース体２と配線基板４、ＬＥＤ３を覆ってベース体２に取り付けられる透光性カバー５などからなり、軽量であるため、必ずしも照明ユニット１の両側にブラケット76を沿わせる必要はない。すなわち、図１５に示すように、ブラケット76をボルト71の回りで回転させてブラケット76で照明ユニット１を支えた状態でロアカバー92の内面に押し付けるようにして照明ユニット１を固定することが可能である。この場合、ブラケット76が照明ユニット１の自重方向（矢印Ｃ方向）に対してブラケット76で支持することができるから、確実に照明ユニット１を固定できる。
【００３４】
また、照明ユニット１は、ブラケット76への取り付けに際し、ボルト71の回りで回転させることが可能であるから、照明ユニット１の取付角度の調整によっても、表示レンズ73の照明輝度を調整することができる。つまり、ＬＥＤ３を用いた照明ユニット１は、照射の指向性を狭くでき、表示レンズ73に対して照明ユニット１の取付角度を調整することで表示レンズ73の照明輝度の調整が可能である。これとともに、図１７に示すように、照明ユニット１を下方側に向けた状態で固定して照明ユニット１の照明光をロアカバー92の端部から洩光させることによって、例えば、運転者の足元照明と表示レンズ73の透過照明を同時に行うことが可能となる。つまり、透光性カバー５を透過したＬＥＤ３の照射光によって表示レンズ73を透過照明すると同時に、照明ユニット１から照射した照明光によって運転者の足元照明を行うことができるから、共通の照明ユニット１により、同時に2個所の照明が可能となる。
【００３５】
前記照明ユニット１の取付構造によれば、ロアカバー92の表面側に固定される表示レンズ73とロアカバー92の裏面側に固定する照明ユニット１及びその照明ユニット１を固定するブラケット76がそれぞれスライド自在に組み付けられているから、厚さｔ,ｔ１が異なるロアカバー92にも照明ユニット１と表示レンズ73を確実に組み付けることが可能である。また、表示レンズ73とブラケット76とで被取り付け部となるロアカバー92を挟着してロアカバー92に表示レンズ73と照明ユニット１を固定するようにしているので、ねじなどの別部品を用いてブラケット76を取り付ける場合とは異なり、組み付け部品点数も削減され、照明ユニット１の組み付け作業性も向上する。
【００３６】
また、ベース体２に一体に形成した突起状基板保持部17，18によりベース体２に配線基板４を固定するようにし、ベース体２に配線基板４を組み付けるに際しては、突起状基板保持部17を弾性変形させることによりこれら突起状基板保持部17が配線基板４に係合されるようにしたので、ねじなどの別部品を用いて取り付ける場合とは異なり、ベース体２に配線基板４をワンタッチで容易に取り付けることができる。したがって、取り付け状態のばらつきも減り、品質維持もしやすい。
【００３７】
また、ブラケット76は、可撓性を有する金属製薄板材からなり、弾性的に変位可能であり、照明ユニット１の取り付けに際し、被取り付け部となるロアカバー92の裏面側にブラケット76が弾発的に押圧するものであるから、ブラケット76と表示レンズ73との間にロアカバー92を強固に挟着することができるので、照明ユニット１の取付強度が向上する。
【００３８】
また、照明ユニット１とブラケット76及び表示レンズ73は、それぞれ異なる取付角度で取り付け可能であるから、照明ユニット１の取付角度の調整によっても、表示レンズ73の照明輝度を調整することができる。これとともに、照明ユニット１と表示レンズ73との取付角度を変えることによって、透光性カバー５を透過したＬＥＤ３の照射光によって表示レンズ73を透過照明すると同時に、照明ユニット１が指向した照明光によっても照明を行うことができるから、共通の照明ユニット１により、同時に2個所の照明が可能となり、照明ユニット１の共通化を図ることができるから一層、組付部品点数を削減することができる。
【００３９】
なお、本発明は、前記実施例に限定されるものではなく、種々の変形実施が可能である。例えば、特に車外で照明ユニットを用いる場合、この照明ユニットに防水構造を付与するとより好ましい。発光素子としてＬＥＤを示したが電球であってもよい。また、表示レンズ73と照明ユニット１の取り付け方向は横方向に限らず、図１８に示すように縦方向であってもよい。
【００４０】
【発明の効果】
請求項１の発明の照明ユニットの取付構造は、被取り付け部に形成する開口部と、この開口部に装着して該被取り付け部の表面側に取り付ける表示レンズと、前記被取り付け部の裏面側に位置して前記表示レンズを透過照明する照明ユニットと、この照明ユニットを前記被取り付け部に固定するブラケットとを具備し、前記照明ユニットに前記ブラケットを連結する固定具を設けるとともに、前記表示レンズの裏面側に前記固定具と連結する取付部を設け、この取付部と前記ブラケットを前記固定具にスライド自在に組み付けて前記表示レンズとブラケットとの間に前記被取り付け部を挟着保持したものであり、照明ユニットを取り付けるための構造が簡単になるとともに、異なる厚みの被取り付け部にも表示レンズと照明ユニットを固定することができ、したがって、汎用性に優れた照明ユニットの取付構造となる。
【００４１】
また、請求項２の発明の照明ユニットの取付構造は、前記照明ユニットは、ベース体と、このベース体に取り付けられる配線基板と、この配線基板に搭載された発光素子と、この発光素子を覆って前記ベース体に取り付けられる透光性カバーとで構成され、前記配線基板を前記ベース体に一体に形成した基板保持部により保持してベース体に取り付けたものであり、ベース体への配線基板の取り付けが容易であるとともに、表示レンズと照明ユニットとの間隔を調整することによって、表示レンズの照明輝度を調整することができる。
【００４２】
さらに、請求項３の発明の照明ユニットの取付構造は、前記ブラケットを弾性的に変位可能とし、このブラケットを前記被取り付け部の裏面側に弾発的に押圧させたものであり、ブラケットを被取り付け部に強固に押し付けることができ、したがって、照明ユニットの取付強度が向上する。
【００４３】
また、請求項４の発明の照明ユニットの取付構造は、前記ブラケットに長孔を形成するとともに、前記取付部の下端縁に下方を開口した切欠溝部を形成し、この長孔と切欠溝部に前記固定具を遊動させて前記照明ユニットに前記ブラケットと前記表示レンズをそれぞれスライド自在に組み付け、かつ、固定具を中心としてブラケットと表示レンズとを相互に回動自在に組み込んだものであり、照明ユニットを複数の方法で被取り付け部に取り付けることができ、したがって、照明ユニットを様々な場所に様々な形態で取り付けることができ、照明ユニットの汎用性が向上する。これとともに、共通の照明ユニットで同時に複数の照明が可能であり、部品点数を削減することができる。
【図面の簡単な説明】
【図１】本発明の一実施例を示す照明ユニットとブラケット及び表示レンズの分解右斜視図である。
【図２】同上分解左斜視図である。
【図３】同上組み付け状態を示す斜視図である。
【図４】同上照明ユニットの分解下斜視図である。
【図５】同上照明ユニットの分解下斜視図であり、図３とは視方向を変えてある。
【図６】同上照明ユニットの組立状態を示す正面図である。
【図７】同上照明ユニットの組立状態を示す断面図である。
【図８】同上配線基板の回路図である。
【図９】前記一実施例のベース体におけるボルトの組み付けを示す斜視図である。
【図１０】同上ベース体におけるナットの組み付けを示す斜視図である。
【図１１】前記一実施例における配線基板の取り付け方法を示す断面図である。
【図１２】照明ユニットをロアカバーに固定した例を示す正面図である。
【図１３】同上照明ユニットの分解斜視図である。
【図１４】同上断面図である。
【図１５】照明ユニットをロアカバーに例の固定方法により固定した例を示す断面図である。
【図１６】照明ユニットの取付角度を変えた例を示す正面図である。
【図１７】同上断面図である。
【図１８】照明ユニットをロアカバーに固定した例を示す分解斜視図である。
【符号の説明】
１  照明ユニット
２  ベース体
３  ＬＥＤ（発光素子）
４  配線基板
５  透光性カバー
17  突起状基板保持部（基板保持部）
18  突起状基板保持部（基板保持部）
19  係合爪
20  係合爪
71  ボルト（固定具）
74  取付腕片（取付部）
75  切欠溝部
76  ブラケット
79  ビス（固定具）
80  長孔
91  ロアパネル（被取り付け部）
【図１】
0003584463.tif 000002
【図２】
0003584463.tif 000003
【図３】
0003584463.tif 000004
【図４】
0003584463.tif 000005
【図５】
0003584463.tif 000006
【図６】
0003584463.tif 000007
【図７】
0003584463.tif 000008
【図８】
0003584463.tif 000009
【図９】
0003584463.tif 000010
【図１０】
0003584463.tif 000011
【図１１】
0003584463.tif 000012
【図１２】
0003584463.tif 000013
【図１３】
0003584463.tif 000014
【図１４】
0003584463.tif 000015
【図１５】
0003584463.tif 000016
【図１６】
0003584463.tif 000017
【図１７】
0003584463.tif 000018
【図１８】
0003584463.tif 000019